(57)【特許請求の範囲】
【請求項１】
画像データを生成する画像データ生成ステップと、
上記画像データ生成ステップで生成された画像データのうち、画像における第１の領域の画像データを圧縮し第１の圧縮画像データを生成するとともに、上記第１の領域と異なる第２の領域の画像データを圧縮し第２の圧縮画像データを生成するデータ処理ステップと、
上記データ処理ステップで生成された第１及び第２の圧縮画像データと、当該圧縮画像データに関する制御情報データと、上記第２の圧縮画像データの受信側での保持期間を示す保持情報とに基づいて、通信データを生成する通信データ生成ステップと、
上記通信データ生成ステップで生成された通信データを送信する送信ステップとを有することを特徴とするデータ通信方法。
【請求項２】
画像データを生成する画像データ生成手段と、
上記画像データ生成手段で生成された画像データのうち、画像における第１の領域の画像データを圧縮し第１の圧縮画像データを生成するとともに、上記第１の領域と異なる第２の領域の画像データを圧縮し第２の圧縮画像データを生成するデータ処理手段と、
上記データ処理手段により生成された第１及び第２の圧縮画像データと、当該圧縮画像データに関する制御情報データと、上記第２の圧縮画像データの受信側での保持期間を示す保持情報とに基づいて、通信データを生成する通信データ生成手段と、
上記通信データ生成手段により生成された通信データに基づき通信信号を生成して送信する送信手段とを有することを特徴とするデータ通信装置。
【請求項３】
通信信号を受信して通信データを得る受信手段と、
上記受信手段で得られた通信データを記憶するデータ記憶手段と、
上記データ記憶手段に記憶された通信データのうち、画像における第１の領域の画像データを圧縮した第１の圧縮画像データと、上記第１の領域と異なる第２の領域の画像データを圧縮した第２の圧縮画像データとを伸張して出力するデータ出力手段と、
上記受信手段と上記データ記憶手段と上記データ出力手段を制御する制御手段とを有するデータ通信装置において、
上記通信データは、上記第１及び第２の圧縮画像データと、当該圧縮画像データに関する制御情報データと、上記第２の圧縮画像データの受信側での保持期間を示す保持情報とを有し、
上記制御手段は、上記データ記憶手段に記憶された通信データの保持情報に基づき上記記憶手段を制御して、記憶された通信データのうち上記第２の圧縮画像データを自動的に消去することを特徴とするデータ通信装置。
【請求項４】
上記第１の領域は画像の中央部であり、上記第２の領域は画像の周辺部であることを特徴とする請求項３記載のデータ通信装置。
【請求項５】
通信信号を受信して通信データを得る受信ステップと、
上記受信ステップで得られた通信データを記憶するデータ記憶ステップと、
上記データ記憶ステップで記憶された通信データのうち、画像における第１の領域の画像データを圧縮した  第１の圧縮画像データと、上記第１の領域と異なる第２の領域の画像データを圧縮した第２の圧縮画像データとを伸張して出力するデータ出力ステップとを有するデータ通信方法において、
上記通信データは、上記第１及び第２の圧縮画像データと、当該圧縮画像データに関する制御情報データと、上記第２の圧縮画像データの受信側での保持期間を示す保持情報とを有し、
上記データ記憶手段に記憶された通信データの保持情報に基づき上記記憶手段を制御して、記憶された通信データのうち上記第２の圧縮画像データを自動的に消去することを特徴とするデータ通信方法。
【発明の詳細な説明】
【０００１】
【発明の属する技術分野】
この発明はデータ通信方法およびそれを使用したデータ通信装置に関する。詳しくは、生成された画像データのうち、画像における第１の領域の画像データを圧縮し第１の圧縮画像データを生成するとともに、第１の領域と異なる第２の領域の画像データを圧縮し第２の圧縮画像データを生成して、当該圧縮画像データに関する制御情報データと、第２の圧縮画像データの受信側での保持期間を示す保持情報とに基づいて、通信データを生成して送信するものである。また、受信された通信データを記憶して、この記憶された通信データのうち、第１の領域の画像データを圧縮した第１の圧縮画像データと、第１の領域と異なる第２の領域の画像データを圧縮した第２の圧縮画像データとを伸張して出力し、通信データは、第１及び第２の圧縮画像データと、当該圧縮画像データに関する制御情報データと、第２の圧縮画像データの受信側での保持期間を示す保持情報とを有し、記憶された通信データの保持情報に基づき、記憶された通信データのうち第２の圧縮画像データを自動的に消去するものである。
【０００２】
【従来の技術】
従来、例えばアナログ回線を介して通信を取り次ぐ信号変換装置、いわゆるモデムを使用して画像データを通信できるデータ通信装置が提案されている。
【０００３】
このデータ通信装置で通信された画像データは、受信側のデータ通信装置のメモリ部に一度記憶され、この記憶されたデータが必要に応じて読み出されて画像表示が行われていた。
【０００４】
【発明が解決しようとする課題】
ところで、データ通信装置のメモリ部に記憶された画像データは、読み出されて画像表示が行われた後、画像データを消去するためのデータ消去命令が実行されるまで保存される。このため、例えば伝言板のように時間の経過と共に不要となる画像データであっても、データ消去命令が実行されるまではメモリ部に記憶されて、メモリ部に空き領域がないときには送信されてきた画像データを受け取ることができず、データ通信を効率良く行うことができなかった。
【０００５】
そこで、この発明では、不要となった通信データを自動的に削除してデータ通信を効率良く行うことができるデータ通信方法およびそれを使用したデータ通信装置を提供するものである。
【０００６】
【課題を解決するための手段】
この発明に係るデータ通信方法は、画像データを生成する画像データ生成ステップと、画像データ生成ステップで生成された画像データのうち、画像における第１の領域の画像データを圧縮し第１の圧縮画像データを生成するとともに、第１の領域と異なる第２の領域の画像データを圧縮し第２の圧縮画像データを生成するデータ処理ステップと、データ処理ステップで生成された第１及び第２の圧縮画像データと、当該圧縮画像データに関する制御情報データと、第２の圧縮画像データの受信側での保持期間を示す保持情報とに基づいて、通信データを生成する通信データ生成ステップと、通信データ生成ステップで生成された通信データを送信する送信ステップとを有するものである。
【０００７】
また、この発明に係るデータ通信装置は、画像データを生成する画像データ生成手段と、画像データ生成手段で生成された画像データのうち、画像における第１の領域の画像データを圧縮し第１の圧縮画像データを生成するとともに、第１の領域と異なる第２の領域の画像データを圧縮し第２の圧縮画像データを生成するデータ処理手段と、データ処理手段により生成された第１及び第２の圧縮画像データと、当該圧縮画像データに関する制御情報データと、第２の圧縮画像データの受信側での保持期間を示す保持情報とに基づいて、通信データを生成する通信データ生成手段と、通信データ生成手段により生成された通信データに基づき通信信号を生成して送信する送信手段とを有するものである。
【０００８】
さらに、この発明に係るデータ通信装置は、通信信号を受信して通信データを得る受信手段と、受信手段で得られた通信データを記憶するデータ記憶手段と、データ記憶手段に記憶された通信データのうち、画像における第１の領域の画像データを圧縮した第１の圧縮画像データと、第１の領域と異なる第２の領域の画像データを圧縮した第２の圧縮画像データとを伸張して出力するデータ出力手段と、受信手段とデータ記憶手段とデータ出力手段を制御する制御手段とを有するデータ通信装置において、通信データは、第１及び第２の圧縮画像データと、当該圧縮画像データに関する制御情報データと、第２の圧縮画像データの受信側での保持期間を示す保持情報とを有し、制御手段は、データ記憶手段に記憶された通信データの保持情報に基づき記憶手段を制御して、記憶された通信データのうち第２の圧縮画像データを自動的に消去するものである。
また、この発明に係るデータ通信方法は、通信信号を受信して通信データを得る受信ステップと、受信ステップで得られた通信データを記憶するデータ記憶ステップと、データ記憶ステップで記憶された通信データのうち、画像における第１の領域の画像データを圧縮した  第１の圧縮画像データと、第１の領域と異なる第２の領域の画像データを圧縮した第２の圧縮画像データとを伸張して出力するデータ出力ステップとを有するデータ通信方法において、通信データは、第１及び第２の圧縮画像データと、当該圧縮画像データに関する制御情報データと、第２の圧縮画像データの受信側での保持期間を示す保持情報とを有し、データ記憶手段に記憶された通信データの保持情報に基づき記憶手段を制御して、記憶された通信データのうち第２の圧縮画像データを自動的に消去するものである。
【０００９】
この発明においては、通信データがデータとデータの保持期間を示す保持情報から生成されているので、受信側ではこの保持情報に基づきデータ記憶手段でのデータの保持動作を制御手段で制御することが可能となる。
【００１０】
【発明の実施の形態】
以下、図を参照してこの発明に係るデータ通信装置の実施の一形態について説明する。
【００１１】
図１は本発明に係るデータ通信装置を用いたデータ通信システムの構成を示す図である。
【００１２】
図１において、画像信号発生装置１０はビデオカメラやビデオテープレコーダ等を用いて構成されており、この画像信号発生装置１０で生成された画像信号ＳＶは送信側のデータ通信装置２０に供給される。
【００１３】
データ通信装置２０では、画像信号ＳＶに基づいて通信信号ＳＳが生成され、公衆通信回線等の通信路を介して受信側のデータ通信装置３０に供給される。
【００１４】
受信側のデータ通信装置３０では、通信路を介して供給された通信信号ＳＳから得られた通信データＳＤがデータ通信装置３０内のメモリ部に記憶される。また、記憶されたデータが読み出されて画像信号ＲＶが生成されると共に、この画像信号ＲＶが画像表示装置４０に供給されて画像表示装置４０の画面上に画像が表示される。
【００１５】
ここで、データ通信装置２０，３０の構成について図２を用いて説明する。なお、データ通信装置２０とデータ通信装置３０の構成は同一である。
【００１６】
図２において、画像信号発生装置１０から供給された画像信号ＳＶは、信号変換部２１でディジタルの画像データＳＤＶとされて、静止画メモリ部２２に記憶される。この静止画メモリ部２２に記憶された画像データＳＤＶは読み出されてデータ処理部２３に供給される。
【００１７】
データ処理部２３では、静止画メモリ部２２から供給された画像データＳＤＶの符号化処理が行われてデータ量が圧縮される。この圧縮された画像データＳＤＶである圧縮画像データＣＳはデータ制御部２４に供給される。
【００１８】
次に網制御部２５は、公衆通信回線と後述するモデム部２６を接続するためのものであり、この網制御部２５では、データ制御部２４との通信によって回線インタフェース２７を介して公衆通信回線に発呼信号やダイヤルパルス信号の送出および応答信号の受信等が行われる。
【００１９】
通信データ生成手段であるデータ制御部２４では、網制御部２５との通信によって網制御部２５での発呼信号の送出等の制御が行われるだけでなく応答信号の受信が検出される。ここで、発呼信号やダイヤルパルス信号の送出後に応答信号が受信されたことが検出されたときには、データ処理部２３から供給された圧縮画像データＣＳに制御情報データや保持時間データが付加されて通信データＳＤが生成される。
【００２０】
ここで、図３に通信データＳＤの構成を示す。図３において、データ領域のデータは圧縮画像データである。ヘッダ領域のデータは、データ領域のデータに付随する情報、例えばデータ領域の画像データの送信順序等の情報を示す制御情報データである。さらに、保持情報領域のデータは圧縮画像データの受信側での保持時間を示す保持時間データである。
【００２１】
なおデータ制御部２４では、信号変換部２１の変換動作、静止画メモリ部２２のデータの記憶や読出処理、データ処理部２３のデータの符号化処理等の制御も行われる。
【００２２】
送信手段であるモデム部２６では、通信データＳＤが変調されて通信信号ＳＳとされて回線インタフェース２７を介して公衆通信回線に供給される。
【００２３】
一方、公衆通信回線から通信信号ＳＳがデータ通信装置３０に供給された場合には、上述と逆の処理が行われる。すなわち、データ通信装置３０の受信手段であるモデム部３６では、回線インタフェース３７を介して供給された通信信号ＳＳが復調されて通信データＳＤとされる。この通信データＳＤは、制御手段であるデータ制御部３４によってデータ記憶手段であるメモリ部３８に記憶される。なお、網制御部３５では呼出信号の受信等が行われる。
【００２４】
また、メモリ部３８に記憶されている通信データＳＤのデータ領域の圧縮画像データＣＳは、データ制御部３４によって読み出されてデータ出力手段を構成するデータ処理部３３に供給される。なお、データ出力手段はデータ処理部３３と後述する信号変換部３１および静止画メモリ部３２で構成される。
【００２５】
データ処理部３３では、圧縮画像データＣＳの伸張処理が行われ、得られた画像データＲＤＶは静止画メモリ部３２に記憶される。また静止画メモリ部３２に記憶された画像データＲＤＶは信号変換部３１でアナログの画像信号ＲＶに変換されて図１に示す画像表示装置に供給される。
【００２６】
ところで、メモリ部３８に記憶された通信データＳＤには、通信データの保持時間を示す保持情報が付加されている。このため、データ制御部３４によって保持時間を経過した通信データは、メモリ部３８から削除される。
【００２７】
ここで、図４を使用して実施の形態の動作について説明する。公衆通信回線から通信信号ＳＳがデータ通信装置３０に供給されると、メモリ部３８には図４Ａに示すように通信信号ＳＳに基づく圧縮画像データＤａとこの圧縮画像データＤａの保持情報である保持時間データＨａ（例えばＨａ＝１２５）が記憶される。
【００２８】
次に時間「Ｔ＝１０」経過後に通信信号ＳＳが供給されると、図４Ｂに示すように通信信号ＳＳに基づく圧縮画像データＤｂと保持時間データＨｂ（例えばＨｂ＝２１）が記憶される。このとき保持時間データＨａの値は、時間が「Ｔ＝１０」経過しているため「Ｈａ＝１１５」とされる。
【００２９】
さらに、時間「Ｔ＝１５」経過後に通信信号ＳＳが供給されると、図４Ｃに示すように圧縮画像データＤｃと保持時間データＨｃ（例えばＨｃ＝４７）が記憶される。このとき、時間が「Ｔ＝１５」経過しているため保持時間データＨａの値は、「Ｈａ＝１００」とされると共に保持時間データＨｂの値は、「Ｈｂ＝６」とされる
その後、時間「Ｔ＝６」経過すると、図４Ｄに示すように保持時間データＨａの値は「Ｈａ＝９４」とされる。また、保持時間データＨｂの値は「Ｈｂ＝０」とされるので、圧縮画像データＤｂと保持時間データＨｂはメモリ部３８から自動的に消去される。なお、保持時間データＨｃの値は「Ｈｃ＝４１」とされる。
【００３０】
以下同様に、時間が経過して保持時間データが「０」とされたときには、データ消去命令を実行させなくとも不要となった圧縮画像データが自動的に消去される。
【００３１】
このように上述の実施の形態によれば、データ消去命令を実行させなくとも保持時間データに基づき不要となった圧縮画像データを自動的に消去することができる。また、不要となった圧縮画像データがメモリ部３８から自動的に消去されて記憶領域が確保されるので、新たに送信されてくる圧縮画像データをメモリ部３８に順次記憶することができ、データ通信を効率良く行うことができる。
【００３２】
なお、上述の実施の形態では、保持時間データが「０」とされたときに圧縮画像データを全て消去するものとしたが、図５に示すように画像を重要な部分である第１の領域と重要でない部分である第２の領域とに区分して、それぞれの領域毎に圧縮画像データを生成し、保持時間データが「０」とされたときに第２の領域に対する圧縮画像データだけを消去するものとしてもよい。また、通信されるデータは圧縮画像データに限られるものではなく、情報等を示すデータであってもよく、例えば通信データを画像データと文字データとで生成し、保持時間データが「０」とされたときに画像データあるいは文字データの一方を消去してもよい。
【００３３】
【発明の効果】
この発明によれば、通信データ生成手段でデータとデータの受信側での保持期間を示す保持情報から通信データが生成されているので、受信側では、この通信データの保持情報に基づく保持期間経過後にデータ記憶手段に記憶された通信データが自動的に消去することができる。また、データ記憶手段に記憶された通信データが自動的に消去されるので、データ記憶手段に記憶領域が自動的に確保されて新たな通信データを順次記憶することができるため、データ通信を効率よく行うことができる。
【図面の簡単な説明】
【図１】この発明に係るデータ通信装置を用いたデータ通信システムの構成を示す図である。
【図２】この発明に係るデータ通信装置の実施の形態の構成を示す図である。
【図３】通信データの構成を示す図である。
【図４】この発明に係るデータ通信装置の実施の形態の動作を示す図である。
【図５】通信データの画像を示す図である。
【符号の説明】
１０  画像信号発生装置
２０，３０  データ通信装置
２１，３１  信号変換部
２２，３２  静止画メモリ部
２３，３３  データ処理部
２４，３４  データ制御部
２５，３５  網制御部
２６，３６  モデム部
２７，３７  回線インタフェース
４０  画像表示装置
【図１】
0003711591.tif 000002
【図２】
0003711591.tif 000003
【図３】
0003711591.tif 000004
【図４】
0003711591.tif 000005
【図５】
0003711591.tif 000006